(57)【要約】【課題】  使用者が映像を鑑賞するために表示部の配置を変更する際に生ずる煩雑さを解消できる携帯端末を提供する。【解決手段】  携帯端末１０は、第２支持軸２３を中心として下筐体１２および上筐体１３を相対的に回動させることにより操作部１５および表示部１８が略同一方向を向く拡開状態と、拡開状態から第１支持軸２２を中心として下筐体１２および上筐体１３を相対的に矢印方向に回動させることにより操作部１５および上筐体１３の背面２６が対面する待受状態とのうちの一方の状態から、第１支持軸２２を中心として回動させることにより下筐体１２および上筐体１３が交差配置された交差状態に形態が変更されたときに、制御部２０が表示部１８に映像表示を起動する映像表示モードを選択可能に構成されている。【選択図】    図３
2006148317.tif 000002
【特許請求の範囲】
【請求項１】
ヒンジ部を介して連結された第１筐体および第２筐体と、前記第１筐体の正面に設けられた操作部と、前記第２筐体の正面に設けられた表示部と、前記第１筐体および前記第２筐体のうちの一方に収容されて映像信号を受信する受信部および前記映像信号を処理して前記表示部に映像表示させる制御部とを有し、
前記ヒンジ部が、前記第１筐体の正面に立設された第１支持軸と、前記第２筐体に連結されているとともに前記第１支持軸に対して直交連結された第２支持軸とを備える携帯端末であって、
前記第２支持軸を中心として前記第１筐体および前記第２筐体を相対的に回動させることにより前記操作部および前記表示部が略同一方向を向く拡開状態と、前記拡開状態から前記第１支持軸を中心として前記第１筐体および前記第２筐体を相対的に回動させることにより前記操作部および前記第２筐体の背面が対面する待受状態とのうちの一方の状態から、
前記第１支持軸を中心として回動させることにより前記第１筐体および前記第２筐体が交差配置された交差状態に形態が変更されたときに、
前記制御部が前記表示部に前記映像表示を起動する映像表示モードを選択可能であることを特徴とする携帯端末。
【請求項２】
前記映像表示が起動した前記交差状態から、前記操作部および前記表示部が近接対面するように、前記第１筐体および前記第２筐体が前記ヒンジ部を介して折り畳まれた折畳状態に形態が変更されたときに、
前記映像表示を終了する映像終了モードを選択可能であることを特徴とする請求項１に記載の携帯端末。
【請求項３】
前記第２筐体の背面に設けられた副表示部を有し、
前記映像表示が起動した前記交差状態から、前記操作部および前記表示部が近接対面するように、前記第１筐体および前記第２筐体が前記ヒンジ部を介して折り畳まれた折畳状態に形態が変更されたときに、
前記映像表示に係る情報を副表示部に文字表示する文字情報表示モードを選択可能であることを特徴とする請求項２に記載の携帯端末。
【請求項４】
筐体と、前記筐体における同一面に設けられた表示部および操作部と、
前記筐体内に設けられて映像信号を受信する受信部および前記映像信号を処理して前記表示部に映像表示させる制御部とを有し、
前記表示部の下方に前記操作部が配置されるように前記筐体を略直立させる通常配向状態から、前記表示部および前記操作部が略並列配置されるように前記筐体を略横倒しさせる横配向状態に形態が変更されたときに、
前記制御部が前記表示部に前記映像表示を起動する映像表示モードを選択可能であることを特徴とする携帯端末。
【請求項５】
前記映像表示が起動したときに、前記受信部に接続された伸縮アンテナが伸長することを特徴とする請求項１〜請求項４のうちのいずれか１項に記載した携帯端末。
【請求項６】
前記映像表示モードを選択した状態で、前記受信部に接続された伸縮アンテナを伸長させることにより前記映像表示が起動するアンテナ連動映像表示モードを選択可能であることを特徴とする請求項１〜請求項４のうちのいずれか１項に記載した携帯端末。
【請求項７】
前記表示部が異なる縦横比を有する矩形状であるとともに、前記伸長アンテナが前記表示部の長手方向に沿って伸長可能であることを特徴とする請求項５または請求項６に記載した携帯端末。
【発明の詳細な説明】
【技術分野】
【０００１】
本発明は、動画再生やＴＶ視聴可能な機能を備えた携帯端末に関する。
【背景技術】
【０００２】
近年、携帯電話機などの携帯端末が広く普及しているが、この携帯端末には、二軸ヒンジ部を有する折り畳みタイプのものがある。
図８（Ａ）に示すように、携帯端末１００は、二軸のヒンジ部１０１を有する折り畳み式のものであって、下筐体（第１筐体）１０２および上筐体（第２筐体）１０３がヒンジ部１０１を介して連結され、下筐体１０２の正面１０４に操作部１０５が設けられ、上筐体１０３の正面１０７に表示部（LCD）１０８が設けられている。
【０００３】
ヒンジ部１０１は、下筐体１０２の正面１０４に立設された第１支持軸１０９と、上筐体１０３に連結されているとともに第１支持軸１０９に対して直交連結された第２支持軸１１０とを備える。
また、携帯端末１００は、アンテナ１１１を備え、このアンテナ１１１が受信部、制御部（双方図示せず）に電気的に接続されている。
【０００４】
表示部１０８は、異なる縦横比（アスペクト比）を有する矩形状で縦使いされる。縦使いとは、操作部１０５および表示部１０８が略同一方向を向く拡開状態では、操作部１０５および表示部１０８の配列方向に長手方向が沿って配置されていることをいう。
【０００５】
ところで、近年動画再生可能な携帯端末、テレビ（アナログ、デジタル）視聴可能な携帯端末が提案されている。動画やテレビなどの映像表示は、通常、横長使いが採用されている。
このため、第１支持軸１０９を中心として矢印方向に回動させることにより、図８（Ｂ）に示すように、下筐体１０２および上筐体１０３が交差配置された交差配置状態とすることにより表示部１０８を横使いとして映像を鑑賞する（例えば、特許文献１）。
【特許文献１】特開２００４−２１５１８０号公報
【発明の開示】
【発明が解決しようとする課題】
【０００６】
ところが、従来は、表示部１０８を横使いにした後に使用者が映像表示を起動させるか、あるいは使用者が映像表示を起動させてから表示部１０８を横使いしている。
いずれにしても、使用者が表示部１０８を横使いにする動作と、表示部１０８に映像表示を起動させる動作との２つの動作を別々に行っているため、映像を鑑賞する際の操作が煩雑になる。
【０００７】
このような問題は、複数の筐体１０２，１０３をヒンジ部１０１により連結した携帯端末１００でのみ生じるものではなく、図９（Ａ）に示す同一筐体１２１の同一面１２２に操作部１２３および表示部１２４が配置された、いわゆるストレートタイプの携帯端末１２０においても同様に生ずる。
すなわち、ストレートタイプの携帯端末１２０においても、異なる縦横比の表示部１２４を縦長使いとなるように筐体に設けられている。
【０００８】
このタイプの携帯端末１２０で映像を鑑賞する場合には、図９（Ｂ）に示すように、表示部１２４が横使いとなるように筐体１２１を横倒しにし、前後して使用者が操作して、表示部１２４に映像表示を起動させている。
したがって、ストレートタイプの携帯端末１２０においても、映像を鑑賞する際の操作が煩雑になる。
【０００９】
本発明は上記事情に鑑みてなされたもので、使用者が映像を鑑賞するために表示部の配置を変更する際に生ずる煩雑さを解消できる携帯端末を提供することを目的とする。
【課題を解決するための手段】
【００１０】
本発明の携帯端末は、ヒンジ部を介して連結された第１筐体および第２筐体と、前記第１筐体の正面に設けられた操作部と、前記第２筐体の正面に設けられた表示部と、前記第１筐体および前記第２筐体のうちの一方に収容されて映像信号を受信する受信部および前記映像信号を処理して前記表示部に映像表示させる制御部とを有し、前記ヒンジ部が、前記第１筐体の正面に立設された第１支持軸と、前記第２筐体に連結されているとともに前記第１支持軸に対して直交連結された第２支持軸とを備える携帯端末であって、前記第２支持軸を中心として前記第１筐体および前記第２筐体を相対的に回動させることにより前記操作部および前記表示部が略同一方向を向く拡開状態と、前記拡開状態から前記第１支持軸を中心として前記第１筐体および前記第２筐体を相対的に回動させることにより前記操作部および前記第２筐体の背面が対面する待受状態とのうちの一方の状態から、前記第１支持軸を中心として回動させることにより前記第１筐体および前記第２筐体が交差配置された交差状態に形態が変更されたときに、前記制御部が前記表示部に前記映像表示を起動する映像表示モードを選択可能であることを特徴とする。
【００１１】
第１、第２の筐体を交差状態の形態に変更したときに、制御部によって、表示部に映像表示を起動する映像表示モードを選択可能とした。
よって、使用者の好みに合わせて、映像表示モードを選択するように予め設定しておくことで、第１、第２の筐体を交差状態の形態に変更したときに、制御部が、表示部に映像表示を起動する映像表示モードを自動的に選択する。
これにより、使用者が映像表示モードを起動させる必要がなく、映像を鑑賞する際の操作の簡素化が図れる。
【００１２】
また、本発明の携帯端末は、前記映像表示が起動した前記交差状態から、前記操作部および前記表示部が近接対面するように、前記第１筐体および前記第２筐体が前記ヒンジ部を介して折り畳まれた折畳状態に形態が変更されたときに、前記映像表示を終了する映像終了モードを選択可能であることを特徴とする。
【００１３】
操作部および表示部を近接対面する折畳状態に折り畳んだときに、制御部によって、映像表示を終了する映像終了モードを選択可能とした。
よって、使用者の好みに合わせて、映像終了モードを選択するように予め設定しておくことで、折畳状態に折り畳まれたときに、映像表示を終了する映像終了モードを自動的に選択する。
これにより、使用者が映像終了モードを起動させる必要がなく操作の簡素化が図れる。
【００１４】
また、本発明の携帯端末は、前記第２筐体の背面に設けられた副表示部を有し、前記映像表示が起動した前記交差状態から、前記操作部および前記表示部が近接対面するように、前記第１筐体および前記第２筐体が前記ヒンジ部を介して折り畳まれた折畳状態に形態が変更されたときに、前記映像表示に係る情報を副表示部に文字表示する文字情報表示モードを選択可能であることを特徴とする。
【００１５】
第２筐体の背面に副表示部を設け、操作部および表示部を近接対面する折畳状態に折り畳んだときに、制御部によって、副表示部に文字表示する文字情報表示モードを選択可能とした。
よって、使用者の好みに合わせて、文字情報表示モードを選択するように予め設定しておくことで、折畳状態に折り畳まれたときに、副表示部に文字情報を表示する文字情報表示モードを自動的に選択する。
これにより、使用者が文字情報表示モードを起動させる必要がなく操作の簡素化が図れる。
【００１６】
また、本発明の携帯端末は、筐体と、前記筐体における同一面に設けられた表示部および操作部と、前記筐体内に設けられて映像信号を受信する受信部および前記映像信号を処理して前記表示部に映像表示させる制御部とを有し、前記表示部の下方に前記操作部が配置されるように前記筐体を略直立させる通常配向状態から、前記表示部および前記操作部が略並列配置されるように前記筐体を略横倒しさせる横配向状態に形態が変更されたときに、前記制御部が前記表示部に前記映像表示を起動する映像表示モードを選択可能であることを特徴とする。
【００１７】
筐体の同一面に表示部および操作部を設け、筐体を略直立させた通常配向状態から、略横倒しさせた横配向状態に形態に変更したときに、制御部によって、表示部に映像表示を起動する映像表示モードを選択可能とした。
よって、使用者の好みに合わせて、映像表示モードを選択するように予め設定しておくことで、筐体を横配向状態に形態に変更したときに、制御部が、表示部に映像表示を起動する映像表示モードを自動的に選択する。
これにより、使用者が映像表示モードを起動させる必要がなく、映像を鑑賞する際の操作の簡素化が図れる。
【００１８】
また、本発明の携帯端末は、前記映像表示が起動したときに、前記受信部に接続された伸縮アンテナが伸長することを特徴とする。
【００１９】
映像表示が起動したときに、伸縮アンテナを自動的に伸長させることで、使用者が伸縮アンテナを伸長する必要がなく、映像を鑑賞する際の操作の簡素化が図れる。
【００２０】
また、本発明の携帯端末は、前記映像表示モードを選択した状態で、前記受信部に接続された伸縮アンテナを伸長させることにより前記映像表示が起動するアンテナ連動映像表示モードを選択可能であることを特徴とする。
【００２１】
伸縮アンテナを伸長させることにより、映像表示が起動するアンテナ連動映像表示モードを選択可能とした。
よって、使用者の好みに合わせて、アンテナ連動映像表示モードを選択するように予め設定しておくことで、伸縮アンテナを手動で伸長させたときに、表示部に映像表示を起動するアンテナ連動映像表示モードを自動的に選択する。
これにより、使用者がアンテナ連動映像表示モードを起動させる必要がなく、映像を鑑賞する際の操作の簡素化が図れる。
【００２２】
また、本発明の携帯端末は、前記表示部が異なる縦横比を有する矩形状であるとともに、前記伸長アンテナが前記表示部の長手方向に沿って伸長可能であることを特徴とする。
【００２３】
表示部の長手方向に沿って伸長アンテナを伸長可能とすることで、テレビ放送波は水平偏波であるため、表示部を横倒し状態のとき、表示部の長手方向にアンテナが伸長することで（水平方向にアンテナが伸びることで）、水平偏波であるテレビ放送波を受かり易くし、良好な受信状態を得られるという利点が得られる。
【発明の効果】
【００２４】
本発明によれば、使用者が映像表示モードを起動させる必要がないので、使用者が映像を鑑賞するために表示部の配置を変更する際に生ずる煩雑さを解消できるという効果を有する。
【発明を実施するための最良の形態】
【００２５】
図１に示すように、第１実施形態の携帯端末１０は、ヒンジ部１１を介して連結された下筐体（第１筐体）１２および上筐体（第２筐体）１３と、下筐体１２の正面１４に設けられた操作部１５と、上筐体１３の正面１７に設けられた表示部１８と、上筐体１３の背面２６（図４も参照）に設けられた副表示部２８（図４参照）と、上筐体１３の先端部に設けられた伸縮アンテナ２９と、下筐体１２に収容されて映像信号を受信する受信部１９および映像信号を処理して表示部に映像表示させる制御部２０とを有する。
【００２６】
ヒンジ部１１は、下筐体１２の正面１４に立設された第１支持軸２２と、上筐体１３に連結されているとともに第１支持軸２２に対して直交連結された第２支持軸２３とを備える。
【００２７】
表示部１８は、縦寸法が横寸法より長い異なる縦横比（アスペクト比）を有する矩形状に形成されている。この表示部１８は、通常の使用形態において縦使いされる。
縦使いとは、操作部１５および表示部１８が略同一方向を向く拡開状態（図１に示す形態）では、操作部１５および表示部１８の配列方向に長手方向が沿って配置されていることをいう。
【００２８】
図３に示すように、伸長アンテナ２９は、表示部１８の長手方向に沿って伸長可能に設けられている。
これにより、テレビ放送波は水平偏波であるため、表示部を横倒し状態のとき、表示部の長手方向にアンテナが伸長することで（水平方向にアンテナが伸びることで）、水平偏波であるテレビ放送波を受かり易くし、良好な受信状態を得られるという利点が得られる。
【００２９】
この携帯端末１０は、第２支持軸２３を中心として下筐体１２および上筐体１３を相対的に回動させることにより操作部１５および表示部１８が略同一方向を向く拡開状態（図１に示す形態）と、図１に示す拡開状態から第１支持軸２２を中心として下筐体１２および上筐体１３を相対的に矢印方向に回動させることにより操作部１５および上筐体１３の背面２６（図４も参照）が対面する待受状態（図２に示す形態）とのうちの一方の状態から、第１支持軸２２を中心として回動させることにより下筐体１２および上筐体１３が交差配置された交差状態に形態が変更されたときに（図３に示す形態）、例えばヒンジ部１１の変位に基づいて、制御部２０が表示部１８に映像表示を起動する映像表示モードを選択可能に構成されている。
【００３０】
すなわち、携帯端末１０は、下筐体１２および上筐体１３が交差状態になったときに、使用者の好みに合わせて、制御部２０が、映像表示モードを選択するように予め設定しておくことや、映像表示モードを選択しないように予め設定しておくことが可能である。
以下、下筐体１２および上筐体１３が交差状態になったときに、制御部２０が、映像表示モードを選択するように予め設定した場合を例に説明する。
【００３１】
使用者の好みに合わせて、映像表示モードを選択するように予め設定しておくことで、下筐体１２および上筐体１３を交差状態の形態に変更したときに、制御部２０が、表示部１８に映像表示を起動する映像表示モードを自動的に選択する。
これにより、使用者が映像表示モードを起動させる必要がなく、映像を鑑賞する際の操作の簡素化が図れる。
【００３２】
また、携帯端末１０は、映像表示が起動したときに、受信部１９に電気的に接続された伸縮アンテナ２９が自動的に伸長するように構成されている（図３参照）。
映像表示が起動したときに、伸縮アンテナを自動的に伸長させることで、使用者が伸縮アンテナを伸長する必要がなく、映像を鑑賞する際の操作の簡素化が図れる。
【００３３】
さらに、図４に示すように、携帯端末１０は、上筐体１３の背面２６に設けられた副表示部２８を有し、映像表示が起動した前記交差状態（図３に示す形態）から、操作部１５および表示部１８が近接対面するように、下筐体１２および上筐体１３がヒンジ部１１を介して折り畳まれた折畳状態に形態（図４に示す形態）が変更されたときに、例えばヒンジ部１１の変位に基づいて、制御部２０が、映像表示を終了する映像終了モードを選択可能で、かつ映像表示に係る情報を副表示部２８に文字表示する文字情報表示モードを選択可能に構成されている。
【００３４】
なお、折畳状態とは、例えばポケットなどにしまうように携帯状態に折り畳んだ形態をいう。
また、文字表示とは、デジタルＴＶ（テレビ）の文字放送や、テレビのチャンネルなどを表示することをいう。
【００３５】
操作部１５および表示部１８を近接対面する折畳状態に折り畳んだときに、例えばヒンジ部１１の変位に基づいて、制御部２０が、映像表示を終了する映像終了モードを選択可能とし、かつ副表示部２８に文字表示する文字情報表示モードを選択可能とした。
よって、使用者の好みに合わせて、映像終了モードや、文字情報表示モードを選択するように予め設定しておくことで、折畳状態に折り畳まれたときに、映像表示を終了する映像終了モードを自動的に選択し、その代わりに、副表示部２８に文字情報を表示する文字情報表示モードを自動的に選択する。
これにより、使用者が映像終了モードや、文字情報表示モードを起動させる必要がなく操作の簡素化が図れる。
【００３６】
次に、第２〜第３実施形態を図５〜図７に基づいて説明する。なお、第２〜第３実施形態において、第１実施形態と同一類似部材については同一符号を付して説明を省略する。
【００３７】
第２実施形態
図５に示す第２実施形態の携帯端末４０は、映像表示モードを選択した状態で、受信部１９に電気的に接続された伸縮アンテナ４１を手４２でつまんで手動で伸長させることにより、制御部４３が、伸縮アンテナ４１の伸長に基づいて、映像表示が起動するアンテナ連動映像表示モードを選択可能に構成されている。
なお、第２実施形態に係る携帯端末４０の他の構成は、第１実施形態の携帯端末１０と同じ構成である。
【００３８】
第２実施形態の携帯端末４０によれば、使用者の好みに合わせて、アンテナ連動映像表示モードを選択するように予め設定しておくことで、伸縮アンテナ４１を手動で伸長させたときに、表示部１８に映像表示を起動するアンテナ連動映像表示モードを自動的に選択する。
これにより、使用者がアンテナ連動映像表示モードを起動させる必要がなく、映像を鑑賞する際の操作の簡素化が図れる。
【００３９】
第３実施形態
図６〜図７に示す第３実施形態の携帯端末５０は、筐体５１と、筐体５１における同一面５２に設けられた表示部１８および操作部１５と、筐体５１の先端部に設けられた伸縮アンテナ２９と、筐体５１内に設けられて映像信号を受信する受信部１９および映像信号を処理して表示部１８に映像表示させる制御部２０とを有する。
【００４０】
図７に示すように、伸長アンテナ２９は、表示部１８の長手方向に沿って伸長可能に設けられている。
これにより、テレビ放送波は水平偏波であるため、表示部を横倒し状態のとき、表示部の長手方向にアンテナが伸長することで（水平方向にアンテナが伸びることで）、水平偏波であるテレビ放送波を受かり易くし、良好な受信状態を得られるという利点が得られる。
【００４１】
この携帯端末５０は、表示部１８の下方に操作部１５が配置されるように筐体５１を略直立させる通常配向状態から、表示部１８および操作部１５が略並列配置されるように筐体５１を略横倒しさせる横配向状態に形態が変更されたときに、制御部２０が、筐体５１の変位に基づいて、表示部１８に映像表示を起動する映像表示モードを選択可能に構成されている。
【００４２】
ここで、筐体５１には、筐体５１の通常配向状態や横配向状態、すなわち筐体５１の変位を検知する手段（三次元方位センサ）の一例として、ピエゾ抵抗方式の三軸加速度センサ（図示せず）が収容されている。
【００４３】
また、携帯端末５０は、映像表示が起動したときに、受信部１９に電気的に接続された伸縮アンテナ２９が自動的に伸長するように構成されている（図７参照）。
映像表示が起動したときに、伸縮アンテナ２９を自動的に伸長させることで、使用者が伸縮アンテナを伸長する必要がなく、映像を鑑賞する際の操作の簡素化が図れる。
【００４４】
第３実施形態の携帯端末５０によれば、使用者の好みに合わせて、映像表示モードを選択するように予め設定しておくことで、筐体５１を横配向状態に形態に変更したときに、制御部２０が、表示部１８に映像表示を起動する映像表示モードを自動的に選択する。
これにより、使用者が映像表示モードを起動させる必要がなく、映像を鑑賞する際の操作の簡素化が図れる。
【００４５】
なお、前記第１、第２実施形態では、上筐体１３の先端部に伸縮アンテナ２９を設け、下筐体１２に受信部１９および制御部２０を収容した例について説明したが、これに限らないで、下筐体１２に伸縮アンテナ２９を設けることが可能であり、さらに上筐体１３に受信部１９および制御部２０を収容することも可能である。
【００４６】
また、前記第１、第２実施形態では、上筐体１３の背面２６に副表示部２８を設けた例について説明したが、副表示部２８を設けなくてもよい。
さらに、前記第１〜第３実施形態では、伸長アンテナ２９を、表示部１８の長手方向に沿って伸長可能に設けた例について説明したが、伸長アンテナ２９の伸長方向はこれに限定するものではない。
【産業上の利用可能性】
【００４７】
本発明は、動画再生やＴＶ視聴可能な機能を備えた携帯端末への適用に好適である。
【図面の簡単な説明】
【００４８】
【図１】本発明に係る第１実施形態の携帯端末を拡開状態の形態とした例を示す斜視図である。
【図２】第１実施形態に係る携帯端末を待受状態の形態とした例を示す斜視図である。
【図３】第１実施形態に係る携帯端末を下筐体および上筐体が交差配置された交差状態の形態とした例を示す斜視図である。
【図４】第１実施形態に係る携帯端末を折畳状態の形態とした例を示す斜視図である。
【図５】本発明に係る第２実施形態の携帯端末を下筐体および上筐体が交差配置された交差状態の形態とした例を示す斜視図である。
【図６】本発明に係る第３実施形態の携帯端末を通常配向状態の形態とした例を示す斜視図である。
【図７】第３実施形態に係る携帯端末を横配向状態の形態とした例を示す斜視図である。
【図８】（Ａ）は従来の携帯端末を拡開状態の形態とした例を示す正面図、（Ｂ）は従来の携帯端末の下筐体および上筐体を交差状態の形態とした例を示す正面図である。
【図９】（Ａ）は従来のもう一つの携帯端末を通常配向状態の形態とした例を示す正面図、（Ｂ）は従来のもう一つの携帯端末を横配向状態の形態とした例を示す正面図である。
【符号の説明】
【００４９】
１０，４０，５０  携帯端末
１１  ヒンジ部
１２  下筐体（第１筐体）
１３  上筐体（第２筐体）
１４  下筐体の正面（第１筐体の正面）
１５  操作部
１７  上筐体の正面（第２筐体の正面）
１８  表示部
１９  受信部
２０，４３  制御部
２２  第１支持軸
２３  第２支持軸
２６  上筐体の背面（第２筐体の背面）
２８  副表示部
２９，４１  伸縮アンテナ
５１  筐体
５２  筐体における同一面
【図１】
2006148317.tif 000003
【図２】
2006148317.tif 000004
【図３】
2006148317.tif 000005
【図４】
2006148317.tif 000006
【図５】
2006148317.tif 000007
【図６】
2006148317.tif 000008
【図７】
2006148317.tif 000009
【図８】
2006148317.tif 000010
【図９】
2006148317.tif 000011